(57)【特許請求の範囲】
【請求項１】
端末機器は、ガイド用の縁を有した係合部を有する本体と、前記係合部を用いて前記本体に取り付けられる略長方形板状の可撓性のパネルとを備え、
前記パネルは、該パネルの長手側面に前記係合部に係合する爪を有し、
前記爪は、前記本体に対する前記パネルの装着時および離脱時に、前記ガイド用の縁に対して斜めに交差し、前記ガイド用の縁によりガイドされるガイド用の面を有していることを特徴とする端末機器のパネルの着脱構造。
【請求項２】
前記爪は、前記パネルの長手側面から前記パネルの短手方向に向けて突出形成されていることを特徴とする請求項１に記載の端末機器のパネルの着脱構造。
【請求項３】
前記係合部は、前記パネルの短手方向に沿って前記爪を挿入させる係合用穴であることを特徴とする請求項１または請求項２に記載の端末機器のパネルの着脱構造。
【請求項４】
前記ガイド用の縁は、前記パネルの長手方向に沿って形成され、
前記ガイド用の面は、前記長手方向および短手方向の両方に対して斜めに、前記パネルの厚み方向に沿って前記爪をカットすることで形成されていることを特徴とする請求項１乃至請求項３のいずれか１項に記載の端末機器のパネルの着脱構造。
【請求項５】
前記爪は、前記パネルの２つの長手側面にそれぞれ形成されていることを特徴とする請求項１乃至請求項４のいずれか１項に記載の端末機器のパネルの着脱構造。
【発明の詳細な説明】
【技術分野】
【０００１】
本発明は、電話機等の端末機器のパネルを端末機器の本体に対して着脱する構造に関する。
【背景技術】
【０００２】
第１の従来の技術として電話機のパネルの着脱構造について図３を参照して説明する。
【０００３】
図３（Ａ）はパネル１１の正面図、図３（Ｂ）は図３（Ａ）の４箇所の円内に形成されている爪１１ａの拡大正面図、図３（Ｃ）は爪１１ａの拡大側面図、図３（Ｄ）は図３（Ｂ）における線Ｘ１−Ｘ１による矢印方向に見た断面図である。
【０００４】
パネル１１の長手方向Ｙに爪１１ａが形成されている場合、パネル１１の下辺の中央Ａに手指をかけて矢印方向へ押すと、パネル１１をＢ方向へ、すなわち、パネル１１の裏面側から表面側へ容易に曲げることができる。したがって、爪１１ａの正面図の形状は、図３（Ｂ）に示されるように長方形（直方体）で支障がなく、爪１１ａを電話機（図示せず）の本体に形成されている係合用穴（図２における符号２ａ参照）に対して容易に係合離脱することができる。よって、金型の製作は、困難でない。
【０００５】
しかし、短手方向Ｘに爪１１ａが形成されている場合、パネル１１の右辺の中央に手指をかけて、パネル１１をパネル１１の裏面側から表面側へ容易には曲げることができない。したがって、爪１１ａの隅１１ａ１が、電話機の本体に形成されている係合用穴に引っかかり、容易には係合離脱することができない。また、爪１１ａの隅１１ａ１が電話機の本体を損傷する。
【０００６】
したがって、爪１１ａの長さＬ１を、通常の電話機では、０．０５ｍｍ単位で調整する必要があるため、金型の製作は、困難である。
【０００７】
第２の従来の技術としてパネルをパネル本体に対して着脱する構造について説明する（例えば、特許文献１参照。）。
【０００８】
パネル本体Ａは、図４に示されるように、額縁状のフレーム枠２１の背面に背板２２が固定されることにより構成される。フレーム枠２１の背面側の内側端縁には、図５に示されるように、差込溝２３が形成される。
【０００９】
パネルＢは、図６に示されるように、可撓性を有するプラスチックスの板の両側の上方部に爪片２４，２４を突設されるとともに、下方部に爪片２５，２５を突設される。
【００１０】
パネル本体ＡとパネルＢとの組立は、次の操作により行われる。
【００１１】
まず、図７に示されるように、パネルＢを湾曲させつつ、爪片２５，２５を両側の差込溝２３，２３の下方部内に差し込む。
【００１２】
次に、図８に示されるように、パネルＢの下方部を展延しつつ、両側の差込溝２３，２３の下方部内に落とし込む。
【００１３】
続いて、図９に示されるように、パネルＢの上方部を湾曲させつつ、爪片２４，２４を両側の差込溝２３，２３の上方部内に差し込む。
【００１４】
最後に、図１０に示されるように、パネルＢの上方部を展延しつつ、両側の差込溝２３，２３の上方部内に落とし込んで、組立は完了する。
【００１５】
第３の従来の技術として切替プレートを操作パネル本体に対して着脱する構造について説明する（例えば、特許文献２参照。）。
【００１６】
図１１は、切替プレート３１を操作パネル本体３２に装着する前の状態の斜視図である。
【００１７】
切替プレート３１の一端側の両隅から軸３１ａが突設されている。切替プレート３１の表面には、ラベル３１ｂが貼付されている。
【００１８】
操作パネル本体３２の一隅付近の凹部には、２組のワンタッチキー群３３，３３が設置されている。操作パネル本体３２上における両ワンタッチキー群３３，３３の中間には、一対の軸受突起３２ａ，３２ａが設けられている。
【００１９】
切替プレート３１は、可撓性を有するので、図示のように湾曲することができる。したがって、切替プレート３１の各軸３１ａを各軸受突起３２ａ，３２ａに対して挿入抜出することができるので、切替プレート３１を操作パネル本体３２に対して容易に着脱することができる。
【００２０】
切替プレート３１を図の左右両側のどちらかに倒すことにより、切替スイッチＯＮ状態とＯＦＦ状態を形成することができる。
【００２１】
【特許文献１】実開平１−１４９６９１号公報
【特許文献２】特開２００３−３４６５８７号公報
【発明の開示】
【発明が解決しようとする課題】
【００２２】
前記第２の従来技術では、可撓性の板の周縁に爪片が突設され、板を長手方向に二つ折りにするように湾曲させつつ爪片によりフレーム枠にはめ込む。
【００２３】
前記第３の従来技術では、切替プレートの両隅に軸が突設され、切替プレートを長手方向に二つ折りにするように湾曲させつつ軸により操作パネル本体にはめ込む。
【００２４】
一方、前記第１の従来技術の電話機では、パネルを電話機の本体に装着するための爪は、パネルの長手方向の両側の周縁に設けられている。したがって、パネルを長手方向に二つ折りにするように湾曲させて、爪を本体の係合用穴にはめ込むことにより、パネルを本体に装着する。
【００２５】
しかし、近年の電話機では、正面を略全面的にパネルにより被覆して電話機を豪華に見せるデザインが増加する傾向にある。
【００２６】
したがって、パネルを本体へ固定するエリアが限られ、最近ではパネルの短手方向を本体に装着することが多い。よって、パネルを短手方向に二つ折りにするように湾曲させるためには、強い力を必要とし、パネルを本体に対して着脱することが難しい。それゆえ、パネルを本体に対して容易に着脱するために、爪の長さ（パネルの長方形の辺からの突出量）を微妙に調整することが必要であり、金型の製作が困難である。
【００２７】
そこで、本発明は、前記従来の電話機のパネルの着脱構造の欠点を改良し、爪をパネルの長手側面に形成し、撓み変形を生じにくいパネルの短手方向に向けて爪を突出させた場合であっても、本体に対するパネルの円滑な装着および離脱を実現し、パネルからの爪の突出量を微妙に調整する必要がなく、しかも、通常の力でパネルを本体に対して着脱できる端末機器のパネルの着脱構造を提供しようとするものである。
【課題を解決するための手段】
【００２８】
本発明は、前記課題を解決するため、次の手段を採用する。
【００２９】
１．端末機器は、ガイド用の縁を有した係合部を有する本体と、前記係合部を用いて前記本体に取り付けられる略長方形板状の可撓性のパネルとを備え、前記パネルは、該パネルの長手側面に前記係合部に係合する爪を有し、前記爪は、前記本体に対する前記パネルの装着時および離脱時に、前記ガイド用の縁に対して斜めに交差し、前記ガイド用の縁によりガイドされるガイド用の面を有している端末機器のパネルの着脱構造。
【００３０】
２．前記爪は、前記パネルの長手側面から前記パネルの短手方向に向けて突出形成されている前記１記載の端末機器のパネルの着脱構造。
【００３１】
３．前記係合部は、前記パネルの短手方向に沿って前記爪を挿入させる係合用穴である前記１または２記載の端末機器のパネルの着脱構造。
【００３２】
４．前記ガイド用の縁は、前記パネルの長手方向に沿って形成され、前記ガイド用の面は、前記長手方向および前記短手方向の両方に対して斜めに、前記パネルの厚み方向に沿って前記爪をカットすることで形成されている前記１乃至３のいずれか１つに記載の端末機器のパネルの着脱構造。
【００３４】
前記爪は、前記パネルの２つの長手側面にそれぞれ形成されている前記１乃至４のいずれか１つに記載の端末機器のパネルの着脱構造。
【発明の効果】
【００３５】
明細書の説明から明らかなように、本発明は、次の効果を奏する。
【００３６】
１．爪が、略直方体の一隅を斜めにカットされて構成される傾斜面を有する形状であるので、本体の係合用穴に対して容易に係合離脱できる。したがって、パネルからの爪の突出量を微妙に調整する必要がない。よって、金型の製作は、容易である。また、パネルを本体に対して容易に着脱することができる。
【００３７】
２．爪がパネルの短辺側に形成されていても、通常の力によりパネルを本体に対して着脱できるので、便利である。
【発明を実施するための最良の形態】
【００３８】
本発明の一実施例の端末機器のパネルの着脱構造について説明する。
【実施例１】
【００３９】
本発明の実施例１について図１と図２を参照して説明する。
【００４０】
図１（Ａ）は電話機１（図２参照）のパネル３の正面図と側面図、図１（Ｂ）は図１（Ａ）の４箇所の円内に形成されている爪３ａの拡大正面図、図１（Ｃ）は爪３ａの拡大側面図、図１（Ｄ）は図１（Ｂ）における線Ｘ２−Ｘ２による矢印方向に見た断面図である。
【００４１】
パネル３は、可撓性を有する合成樹脂から製造される。パネル３の長手方向Ｙの両側にそれぞれ２個の爪３ａが形成されている。各爪３ａは、図１（Ｂ）に示されるように、直方体の一隅を斜め、すなわち、長手方向Ｙおよび短手方向Ｘの両方に対して斜めに、長手方向Ｙおよび短手方向Ｘに直交するパネル３の厚み方向に沿ってカットされた形状に構成される。カットされた面は、傾斜面３ａ１となる。図１（Ｄ）に示される爪３ａの長さＬ２は、従来よりもラフに調整することができる。
【００４２】
図２は、電話機１の諸図である。
図２（Ａ）は電話機１の正面図であり、パネル３の爪３ａと合成樹脂製の本体２の略長方形状の係合用穴（すなわち、係合部）２ａとの４箇所の係合部を符号Ｃで示す。図２（Ｂ）は係合部Ｃの拡大正面図、図２（Ｃ）は係合部Ｃの拡大側面図、図２（Ｄ）は図２（Ｂ）における線Ｘ３−Ｘ３による矢印方向に見た断面図である。
【００４３】
パネル３が電話機１の本体２に装着されている図２に示される状態において、パネル３を本体２から取り外すときは、以下のように操作する。図１（Ａ）に示されるように、パネル３の下辺の中央Ａに手指をかけて矢印方向へ押すと、パネル３をＢ方向へ、すなわち、パネル３の裏面側から表面側へ容易に曲げることができる。この際、爪３ａの傾斜面（すなわち、ガイド用の面）３ａ１が係合用穴２ａの縁（すなわち、ガイド用の縁）２ａ１にガイドされて引っかかることがないため、爪３ａは係合用穴２ａからスムーズに離脱する。
したがって、パネル３を本体２から容易に取り外すことができる。
【００４４】
パネル３を本体２に装着する（取り付ける）ときも、同様に、爪３ａの傾斜面３ａ１が係合用穴２ａの縁２ａ１にガイドされて引っかかることがないため、爪３ａは係合用穴２ａにスムーズに係合する。したがって、パネル３を本体２に容易に取り付けることができる。
【００４５】
本実施例１においては、本体２とパネル３は、略長方形状、すなわち、長手方向Ｙおよび短手方向Ｘにより規定される平面で見た場合に略長方形状に構成されるが、他の形状（例えば、トラック状）に構成することができる。
【００４６】
また、本実施例１においては、係合用穴２ａと爪３ａは、それぞれ本体２とパネル３の各長手方向の両側に形成されるが、各短手方向の両側に形成するように設計変更することができる。
【００４７】
更に、本実施例１においては、係合用穴２ａと爪３ａは、それぞれ本体２とパネル３の各長手方向の両側に２個形成されるが、１個又は３個以上形成するように設計変更することができる。
【図面の簡単な説明】
【００４８】
【図１】本発明の実施例１の電話機のパネルの着脱構造における同パネルの諸図であり、（Ａ）は同パネルの正面図と側面図、（Ｂ）は同パネルの爪の拡大正面図、（Ｃ）は同爪の拡大側面図、（Ｄ）は（Ｂ）における線Ｘ２−Ｘ２による矢印方向に見た断面図を、それぞれ示す。
【図２】同電話機の諸図であり、（Ａ）は正面図、（Ｂ）は同爪と同電話機の本体の係合用穴との係合部の拡大正面図、（Ｃ）は同係合部の拡大側面図、（Ｄ）は（Ｂ）における線Ｘ３−Ｘ３による矢印方向に見た断面図を、それぞれ示す。
【図３】従来の電話機のパネルの着脱構造における同パネルの諸図であり、（Ａ）は同パネルの正面図と側面図、（Ｂ）は同パネルの爪の拡大正面図、（Ｃ）は同爪の拡大側面図、（Ｄ）は（Ｂ）における線Ｘ１−Ｘ１による矢印方向に見た断面図を、それぞれ示す。
【図４】従来のパネルをパネル本体に対して着脱する構造の斜視図である。
【図５】同パネル本体の一部切欠端面図である。
【図６】同パネルの斜視図である。
【図７】同着脱構造の組立途中の第１状態の斜視図である。
【図８】同組立途中の第２状態の斜視図である。
【図９】同組立途中の第３状態の斜視図である。
【図１０】同組立途中の第４状態の斜視図である。
【図１１】従来の切替プレートを操作パネル本体に対して着脱する構造における同切替プレートを同操作パネル本体に装着する前の斜視図である。
【符号の説明】
【００４９】
１  電話機
２  本体
２ａ  係合用穴
２ａ１  縁
３  パネル
３ａ  爪
３ａ１  傾斜面
Ｃ  係合部（パネルの爪と本体の係合用穴との）
【図１】
0004662876.tif 000002
【図２】
0004662876.tif 000003
【図３】
0004662876.tif 000004
【図４】
0004662876.tif 000005
【図５】
0004662876.tif 000006
【図６】
0004662876.tif 000007
【図７】
0004662876.tif 000008
【図８】
0004662876.tif 000009
【図９】
0004662876.tif 000010
【図１０】
0004662876.tif 000011
【図１１】
0004662876.tif 000012